【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
到来波を表す複数の信号をそれぞれ受信する複数のアンテナを有するアンテナアレー(２２−２Ａ、２２−２Ｂ)を備える無線通信受信機であって、
前記複数のアンテナで受信された複数の信号を実質的に同時に処理して到達時間とチャネル係数とを決定する統合探索チャネル推定器(２４−２Ａ、２４−２Ｂ)を備えることを特徴とする無線通信受信機。
【請求項２】
前記統合探索チャネル推定器(２４−２Ａ、２４−２Ｂ)は、前記複数のアンテナから得られる前記複数の信号を実質的に同時に処理して複数の前記到達時間と複数の前記チャネル係数とを決定し、前記到来波は前記複数の到達時間の一つと前記複数のチャネル係数の対応する一つとで表現されることを特徴とする請求項１に記載の無線通信受信機。
【請求項３】
前記到達時間と前記チャネル係数とが、前記統合探索チャネル推定器(２４−２Ａ、２４−２Ｂ) によって実質的に同時に決定されることを特徴とする請求項１に記載の無線通信受信機。
【請求項４】
前記アンテナアレー（２２−２Ａ、２２−２Ｂ）における前記複数のアンテナのそれぞれはアンテナインデックスにより表され、
前記統合探索チャネル推定器(２４−２Ａ、２４−２Ｂ)は、
サンプリング窓において受信した前記信号を示す複素値を、サンプリング窓時間インデックスと前記アンテナインデックスとの関数として格納するアンテナ信号行列(４４−２Ａ)と、
行列分析出力値を生成し、空間領域において到来方向に対応する行列分析部（５０−２Ａ）と、
前記行列分析出力値を用いて、前記到来時間と前記チャネル係数とを生成する出力分析部（６０−２Ａ）と
を備えることを特徴とする請求項１に記載の無線通信受信機。
【請求項５】
前記アンテナアレー（２２−２Ａ、２２−２Ｂ）における前記複数のアンテナのそれぞれはアンテナインデックスにより表され、
前記統合探索チャネル推定器(２４−２Ａ、２４−２Ｂ)は、
サンプリング窓において受信した前記信号を示す複素値を、サンプリング窓時間インデックスと前記アンテナインデックスとの関数として格納するアンテナ信号行列(４４−２Ａ)と、
相関出力値を生成するために高速フーリエ変換（ＦＦＴ）演算を行う相関器(５０−２Ａ)と、
前記相関出力値を用いて、前記到来時間と前記チャネル係数とを生成する相関出力分析部（６０−２Ａ）と
を備えることを特徴とする請求項１に記載の無線通信受信機。
【請求項６】
前記相関器(５０)は、前記演算の実行にあたって、前記アンテナ信号行列(４４−１３Ａ)から生成される、前記アンテナアレー（２２−２Ａ）の前記複数のアンテナのサンプリング窓時間インデックスごとの次元受信ベクトルを処理し、前記次元受信ベクトルは前記次元受信ベクトルの複素値の位相差に関連する周波数を含み、前記次元受信ベクトルには次元受信のための複数のありうべき周波数が含まれ、該複数のありうべき周波数は周波数インデックスで示され、
tを、サンプリング窓時間インデックス、
X(:,t)を、：を１サンプリング窓時間インデックスにおけるすべてのアンテナインデックスとした複素アンテナ行列、
nを、周波数インデックスとして、
前記相関器は、前記複数のありうべき周波数と複数の時間インデックスの組合せごとに、
Y(n,t) = FFT(n,X(:,t))
を計算することを特徴とする請求項5に記載の無線通信受信機。
【請求項７】
Cjが符号シーケンスシンボル値j、Kが符号シーケンス長であるとき、前記相関器は、前記複数のありうべき周波数と前記複数の時間インデックスの組合せごとに、
Y(n,t) = ΣCj*FFT(n,X( :,t)),j =１,K
を計算することを特徴とする請求項６に記載の無線通信受信機。
【請求項８】
前記アレーにおける前記複数のアンテナのそれぞれはアンテナインデックスにより表され、
前記統合探索チャネル推定器（２４−２Ｂ）は、
サンプリング窓において受信した前記信号を示す複素値を、サンプリング窓時間インデックスと前記アンテナインデックスとの関数として格納するアンテナ信号行列(４４−２Ｂ)と、
前記アンテナ信号行列中の複素値を用いてパラメトリック出力推定ベクトルを生成するパラメトリック推定部(２４−２Ｂ)と、
前記パラメトリック出力推定ベクトルを用いて、前記到達時間と前記チャネル係数とを生成する分析部(６０−２Ｂ)と
を備えることを特徴とする請求項１に記載の無線通信受信機。
【請求項９】
各時間インデックス内の各パラメータは、ありうべき到来方向に対応することを特徴とする請求項８に記載の無線通信受信機。
【請求項１０】
前記分析部(６０−２Ｂ)は、前記パラメトリック出力推定ベクトルの要素の絶対値を用いて、前記到来波の前記到達時間と到来方向とを決定することを特徴とする請求項８に記載の無線通信受信機。
【請求項１１】
アンテナアレー（２２−２Ａ、２２−２Ｂ）の複数のアンテナから、到来波を示す複数の信号を取得する工程と、
前記複数のアンテナから得られた前記複数の信号を同時に用いて到達時間とチャネル係数とを決定する工程と
を備えることを特徴とする無線通信受信機の制御方法。
【請求項１２】
前記複数のアンテナから得られる前記複数の信号を同時に用いて、複数の前記到来波のそれぞれについての複数の前記到達時間と複数の前記チャネル係数とを決定する工程を更に備え、
前記複数の到来波のそれぞれは、前記複数の到達時間の一つと前記複数のチャネル係数の対応する一つとで表現されることを特徴とする請求項１１に記載の方法。
【請求項１３】
前記到達時間と前記チャネル係数とを、実質的に同時に決定する工程を更に備えることを特徴とする請求項１１に記載の方法。
【請求項１４】
前記アンテナアレー（２２−２Ａ、２２−２Ｂ）における前記複数のアンテナのそれぞれをアンテナインデックスと関連づける工程を更に備え、
前記複数のアンテナから得られた前記複数の信号を同時に用いて到達時間とチャネル係数とを決定する前記工程は、統合探索チャネル推定器(２４−２Ａ)により実行され、
前記統合探索チャネル推定器(２４−２Ａ)により、
サンプリング窓において受信した前記信号を示す複素値を、サンプリング窓時間インデックスと前記アンテナインデックスとの関数としてアンテナ信号行列(４４−１３Ａ)に格納する工程と、
相関出力値を生成するために高速フーリエ変換（ＦＦＴ）演算を行う工程と、
前記相関出力値を用いて、前記到来時間と前記チャネル係数とを生成する工程と
を更に備えることを特徴とする請求項１１に記載の方法。
【請求項１５】
前記ＦＦＴ演算にあたって、前記統合探索チャネル推定器(２４−２Ａ)は、前記アンテナ信号行列(４４−１３Ａ)から生成される、前記アンテナアレー（２２−２Ａ）の前記複数のアンテナのサンプリング窓時間インデックスごとの次元受信ベクトルを処理し、前記次元受信ベクトルは前記次元受信ベクトルの複素値の位相差に関連する周波数を含み、前記次元受信ベクトルには次元受信のための複数のありうべき周波数が含まれ、該複数のありうべき周波数は周波数インデックスで示され、
tを、サンプリング窓時間インデックス、
X(:,t)を、：を１サンプリング窓時間インデックスにおけるすべてのアンテナインデックスとした複素アンテナ行列、
nを、周波数インデックスとして、
前記複数のありうべき周波数と複数の時間インデックスの組合せごとに、
Y(n,t) = FFT(n,X(:,t))
が計算されることを特徴とする請求項１４に記載の方法。
【請求項１６】
Cjが符号シーケンスシンボル値j、Kが符号シーケンス長であるとき、前記複数のありうべき周波数と前記複数の時間インデックスの組合せごとに、
Y(n,t) = ΣCj*FFT(n,X( :,t)),j =１,K
が計算されることを特徴とする請求項１５に記載の方法。
【請求項１７】
前記アレーにおける前記複数のアンテナのそれぞれはアンテナインデックスにより表され、前記方法は、
サンプリング窓において受信した前記信号を示す複素値を、サンプリング窓時間インデックスと前記アンテナインデックスとの関数としてアンテナ信号行列(４４−２Ｂ)に格納する工程と、
前記アンテナ信号行列中の複素値を用いてパラメトリック出力推定ベクトルを生成する工程と、
前記パラメトリック出力推定ベクトルを用いて、前記到達時間と前記チャネル係数とを生成する工程と
を備えることを特徴とする請求項１１に記載の方法。
【請求項１８】
前記パラメトリック出力推定ベクトル内の各周波数パラメータは、ありうべき到来方向に対応することを特徴とする請求項１７に記載の方法。
【請求項１９】
前記パラメトリック出力推定ベクトルの要素の絶対値を用いて、前記到来波の前記到達時間と到来方向とを決定する工程を更に備えることを特徴とする請求項１７に記載の方法。
【請求項２０】
前記パラメトリック出力推定ベクトルが、十分に高い絶対値を有する前記パラメトリック出力推定ベクトルの要素について、サンプリング窓時間インデックスを含む場合に、
前記十分に高い絶対値を有する前記パラメトリック出力推定ベクトルの要素について、サンプリング窓時間インデックスを用いて、前記到来波の前記到来時間を決定する工程を更に備えることを特徴とする請求項１９に記載の方法。